(57)【要約】【課題】互いに配置の異なる複数の面を有する成形体において、その複数の面にまたがって連続する美麗な凹凸模様が形成された凹凸模様付加飾成形体およびその製法を提供する。【解決手段】天面部２、正面部３、背面部４、左右の側面部５、６を備えた成形体１０であって、上記ベース体の表面が部分的に除去されてなる凹凸模様Ｑを有し、上記凹凸模様Ｑの少なくとも一部が、上記成形体１０の各面部の少なくとも２面にまたがる配置で連続的な模様として形成されている。【選択図】図１
2019111676.tif 000002
【特許請求の範囲】
【請求項１】
仮想的に設定された回転中心軸Ｐに対し特定の配置となる第１の面と、上記第１の面に連なり上記回転中心軸Ｐに対し第１の面とは異なる配置となる第２の面とを備えた成形体であって、
上記成形体の表面に、連続的もしくは断続的に形成された凹部と、凹部が形成されていない部分とで構成された凹凸模様Ｑが設けられており、
上記凹凸模様Ｑの少なくとも一部が、上記回転中心軸Ｐを中心として成形体を回転させたときの回転移動方向に沿う方向において、成形体の第１の面と第２の面とにまたがる配置で連続的な模様として形成されていることを特徴とする凹凸模様付加飾成形体。
【請求項２】
上記成形体の表面に金属薄膜層が形成されており、上記凹凸模様Ｑの少なくとも一部と重なり上記第１の面と第２の面にまたがる配置で、上記金属薄膜層の一部が部分的に除去されて切欠き模様Ｒが形成されている請求項１記載の凹凸模様付加飾成形体。
【請求項３】
仮想的に設定された回転中心軸Ｐに対し特定の配置となる第１の面と、上記第１の面に連なり上記回転中心軸Ｐに対し第１の面とは異なる配置となる第２の面とを備えた成形体を準備する工程と、上記成形体の表面にレーザ照射を行い、その表面部を部分的に除去して凹部を形成し、その凹部と、凹部が形成されていない部分とで凹凸模様Ｑを得る工程とを備えた凹凸模様付加飾成形体の製法であって、
上記凹凸模様Ｑを得る工程において、上記成形体を、上記回転中心軸Ｐを中心として回転自在に保持し、上記成形体を連続的もしくは断続的に回転させながらレーザ照射を行うことにより、少なくともその一部が上記成形体の第１の面と第２の面にまたがる配置で連続的な模様となる凹凸模様Ｑを形成することを特徴とする凹凸模様付加飾成形体の製法。
【請求項４】
上記凹凸模様Ｑが形成された成形体の表面に金属薄膜層を形成する工程と、上記金属薄膜層の一部を、上記凹凸模様Ｑの少なくとも一部と重なり上記第１の面と第２の面にまたがる配置で部分的に除去することにより、切欠き模様Ｒを形成する工程とを備えた請求項３載の凹凸模様付加飾成形体の製法。
【請求項５】
上記切欠き模様Ｒを形成する工程において、金属薄膜層が形成された成形体を、その回転中心軸Ｐを中心として回転自在に保持し、上記金属薄膜層が形成された成形体を連続的もしくは断続的に回転させながらレーザ照射を行うことにより切欠き模様Ｒを形成し、その際、成形体への凹凸模様Ｑ形成時のレーザ照射データを利用して、切欠き模様Ｒを形成する請求項４記載の凹凸模様付加飾成形体の製法。
【発明の詳細な説明】
【技術分野】
【０００１】
本発明は、成形体の互いに連なる第１の面と第２の面にまたがって、連続する凹凸模様が形成された凹凸模様付加飾成形体およびその製法に関するものである。
【背景技術】
【０００２】
化粧料を収容したコンパクト容器や口紅容器等には、単に機能性だけでなく、見栄えがよい、商品イメージを反映したデザインである、といった意匠性も要求される。このような要求に応えるために、例えば、コンパクト容器の蓋部に、アルミニウム蒸着等によって金属薄膜層を形成して金属光沢を与えたものや、複雑な色模様が印刷された転写シートを貼着したもの等、様々な技術を駆使して、容器外観のアイキャッチ効果を高めたものが提案されている。
【０００３】
また、最近は、より複雑な模様を付与するために、上記金属薄膜層や転写シートの一部をレーザ照射によって除去し、その除去部から容器の地の部分や地の部分の上に形成された着色層を露出させて文字や図柄模様を形成することが行われている（例えば、特許文献１を参照）。さらに、成形体の表面に予め凹凸模様を形成し、その上に金属薄膜層等の被覆層を形成した後、その凹凸模様の凹凸に合わせて、レーザ照射により被覆層を部分的に除去して、より印象的な凹凸模様を得ることが提案されている（例えば、特許文献２を参照）。
【先行技術文献】
【特許文献】
【０００４】
【特許文献１】特開２００７−２１６４１７号公報
【特許文献２】特開２００６−３３４１２２号公報
【発明の概要】
【発明が解決しようとする課題】
【０００５】
ところで、このような表面加飾は、通常、成形体の表面が平面であるか、ごくなだらかな褶曲面であることを前提としている。すなわち、加飾しようとする対象面の反りが大きかったり凹凸面であったりすると、転写シートをきれいに貼着することができず、美麗な加飾を付与することができない。
【０００６】
そして、レーザ照射によって被覆層を部分的に除去して加飾模様を形成する場合も、加工面が湾曲面や凹凸面、あるいは複数の面にまたがった領域であると、どの向きの面に対してもレーザ照射を正確に行うことは困難なため、模様が部分的にぼやけたり形が崩れたりして、美麗な加飾模様を得ることはできない。仮に、２つの面にまたがる連続模様を形成するために、第１の面にレーザ照射を行い、向きを変えて第２の面にレーザ照射を行ったとしても、そのつなぎ目においてどうしても模様がずれてしまうという問題がある。
【０００７】
本発明は、このような事情に鑑みなされたもので、互いに配置の異なる複数の面を有する成形体において、その配置の異なる複数の面にまたがって、美麗な凹凸模様が連続的に形成された凹凸模様付加飾成形体およびその製法の提供をその目的とする。
【課題を解決するための手段】
【０００８】
上記の目的を達成するため、本発明は、仮想的に設定された回転中心軸Ｐに対し特定の配置となる第１の面と、上記第１の面に連なり上記回転中心軸Ｐに対し第１の面とは異なる配置となる第２の面とを備えた成形体であって、
上記成形体の表面に、連続的もしくは断続的に形成された凹部と、凹部が形成されていない部分とで構成された凹凸模様Ｑが設けられており、上記凹凸模様Ｑの少なくとも一部が、上記回転中心軸Ｐを中心として成形体を回転させたときの回転移動方向に沿う方向において、成形体の第１の面と第２の面とにまたがる配置で連続的な模様として形成されている凹凸模様付加飾成形体を第１の要旨とする。
【０００９】
また、本発明は、そのなかでも、特に、上記成形体の表面に金属薄膜層が形成されており、上記凹凸模様Ｑの少なくとも一部と重なり上記第１の面と第２の面にまたがる配置で、上記金属薄膜層の一部が部分的に除去されて切欠き模様Ｒが形成されている凹凸模様付加飾成形体を第２の要旨とする。
【００１０】
さらに、本発明は、仮想的に設定された回転中心軸Ｐに対し特定の配置となる第１の面と、上記第１の面に連なり上記回転中心軸Ｐに対し第１の面とは異なる配置となる第２の面とを備えた成形体を準備する工程と、上記成形体の表面にレーザ照射を行い、その表面部を部分的に除去して凹部を形成し、その凹部と、凹部が形成されていない部分とで凹凸模様Ｑを得る工程とを備えた凹凸模様付加飾成形体の製法であって、上記凹凸模様Ｑを得る工程において、上記成形体を、上記回転中心軸Ｐを中心として回転自在に保持し、上記成形体を連続的もしくは断続的に回転させながらレーザ照射を行うことにより、少なくともその一部が上記成形体の第１の面と第２の面にまたがる配置で連続的な模様となる凹凸模様Ｑを形成する凹凸模様付加飾成形体の製法を第３の要旨とする。
【００１１】
そして、本発明は、そのなかでも、特に、上記凹凸模様Ｑが形成された成形体の表面に金属薄膜層を形成する工程と、上記金属薄膜層の一部を、上記凹凸模様Ｑの少なくとも一部と重なり上記第１の面と第２の面にまたがる配置で部分的に除去することにより、切欠き模様Ｒを形成する工程とを備えた凹凸模様付加飾成形体の製法を第４の要旨とする。
【００１２】
また、本発明は、そのなかでも、特に、上記切欠き模様Ｒを形成する工程において、金属薄膜層が形成された成形体を、その回転中心軸Ｐを中心として回転自在に保持し、上記金属薄膜層が形成された成形体を連続的もしくは断続的に回転させながらレーザ照射を行うことにより切欠き模様Ｒを形成し、その際、成形体への凹凸模様Ｑ形成時のレーザ照射データを利用して、切欠き模様Ｒを形成する凹凸模様付加飾成形体の製法を第５の要旨とする。
【００１３】
なお、本発明において、「連続的な模様」とは、第１の面と第２の面にまたがる模様が切れ目なくつながった、文字通り連続した模様だけでなく、その途中で途切れる部分があっても、全体として連続的につながっているかのようにみえる一まとまりの模様も含む趣旨である。
【発明の効果】
【００１４】
すなわち、本発明の凹凸模様加飾成形体は、配置の異なる第１の面と、この第１の面に連なり第１の面とは配置の異なる第２の面とを備えた成形体において、その表面に、連続的もしくは断続的に凹部が形成され、それによって凹凸模様Ｑが形成されている。そして、この凹凸模様Ｑの少なくとも一部が、成形体を特定の方向に回転させたときの回転方向に沿う方向において、上記成形体の第１の面と第２の面にまたがる配置で、連続的な模様として形成されている。
【００１５】
この構成によれば、従来、単一面での凹凸模様や、複数の面においてそれぞれ別個に独立した凹凸模様が付与されていたのに対し、少なくとも２つの面にまたがって、一続きの連続的な凹凸模様Ｑが付与されているため、いままで見たことのないような、全体としての統一感に溢れた、興趣に富む加飾成形体となっている。したがって、本発明の凹凸模様付加飾成形体は、市場において、アイキャッチ効果が高く、この凹凸模様付加飾成形体を用いた商品の付加価値を高めることができる。
【００１６】
そして、本発明のなかでも、特に、上記成形体の表面に金属薄膜層が形成されており、上記凹凸模様Ｑの少なくとも一部と重なり上記第１の面と第２の面にまたがる配置で、上記金属薄膜層の一部が部分的に除去されて切欠き模様Ｒが形成されている凹凸模様付加飾成形体は、上記凹凸模様Ｑが形成されている部分の少なくとも一部に切欠き模様Ｒが付与されているため、凹凸模様Ｑと切欠き模様Ｒとが相俟って、立体的な陰影が生じており、より印象的な外観を有したものとなる。
【００１７】
また、本発明の製法は、上記凹凸模様付加飾成形体を得る方法であって、上記凹凸模様Ｑを形成する工程において、上記成形体を、回転中心軸Ｐを中心として回転自在に保持し、上記成形体を連続的もしくは断続的に回転させながらレーザ照射を行うことにより、少なくともその一部が上記成形体の第１の面と第２の面にまたがる配置で連続的な模様となる凹凸模様Ｑを形成するものである。
【００１８】
この製法によれば、成形体を、仮想的に設定された回転中心軸Ｐに沿って回転させ、第１の面から第２の面にまたがって、連続的に凹凸模様Ｑを形成するために、その凹凸模様Ｑを形成しようとする対象面を、常に（もしくは近似的に常に）レーザ照射方向に向けた状態で凹状に除去加工するようになっている。したがって、第１の面から第２の面にまたがる連続的な模様を、模様の歪みや欠落がなく形成することができ、規則的で美麗な凹凸模様Ｑを得ることができる。
【００１９】
そして、本発明の製法のなかでも、特に、上記成形体を準備する工程において、上記成形体の第１の面と第２の面にまたがる配置で凹凸模様Ｑが形成され、少なくとも上記成形体の第１の面および第２の面に、直接もしくは他の層を介して金属薄膜層が形成された成形体を準備し、上記切欠き模様Ｒを得る工程において、上記凹凸模様Ｑの少なくとも一部と重なる配置で、上記切欠き模様Ｒを形成するものは、第１の面と第２の面にまたがる配置で連続的に凹凸模様Ｑと切欠き模様Ｒとが重なった、より印象深い模様の加飾成形体を簡単に得ることができ、好適である。
【００２０】
また、上記の、金属薄膜層が形成された成形体を用いる製法のなかでも、特に、上記切欠き模様Ｒを形成する工程において、金属薄膜層が形成された成形体を、その回転中心軸Ｐを中心として回転自在に保持し、上記金属薄膜層が形成された成形体を連続的もしくは断続的に回転させながらレーザ照射を行うことにより切欠き模様Ｒを形成し、その際、成形体への凹凸模様Ｑ形成時のレーザ照射データを利用して、切欠き模様Ｒを形成するものは、凹凸模様Ｑと切欠き模様Ｒが高い位置精度で重なるものを、簡単に得ることができ、より好適である。
【図面の簡単な説明】
【００２１】
【図１】本発明の一実施の形態である蓋部を示す斜視図である。
【図２】上記蓋部の部分断面図である。
【図３】上記蓋部の展開図である。
【図４】上記蓋部に凹凸模様を形成するために用いられる装置の一例を示す説明図である。
【図５】（ａ）は上記蓋部に対する凹凸模様の形成方法の説明図、（ｂ）は（ａ）の右側面図、（ｃ）は上記凹凸模様の形成方法の説明図である。
【図６】（ａ）、（ｂ）は、ともに上記凹凸模様の形成方法の説明図である。
【図７】（ａ）は本発明の他の実施の形態である蓋部を示す斜視図、（ｂ）は上記蓋部に凹凸模様を形成する際の形態を示す斜視図である。
【図８】（ａ）は上記蓋部に対する凹凸模様の形成方法の説明図、（ｂ）は（ａ）の右側面図、（ｃ）は上記凹凸模様の形成方法の説明図である。
【図９】（ａ）、（ｂ）は、ともに上記凹凸模様の形成方法の説明図である。
【図１０】（ａ）は本発明のさらに他の実施の形態である容器本体部に凹凸模様を形成する際の形態を示す斜視図、（ｂ）は上記容器本体部に対する凹凸模様の形成方法の説明図、（ｃ）は（ｂ）の右側面図である。
【図１１】（ａ）は本発明の他の実施の形態において、本体部と蓋部とを一体化した状態で凹凸模様を形成する際の形態を示す斜視図、（ｂ）は上記本体部と蓋部の一体化品に対する凹凸模様の形成方法の説明図、（ｃ）は（ｂ）の右側面図である。
【図１２】本発明のさらに他の実施の形態における蓋部の部分断面図である。
【発明を実施するための形態】
【００２２】
つぎに、本発明を実施するための形態について説明する。ただし、本発明は、以下の実施の形態に限定されるものではない。
【００２３】
図１は、本発明をコンパクトタイプの化粧料容器の蓋部１に適用した一実施の形態を示している。この蓋部１は、平面視長方形状の、厚みの薄い凹状体であり、その展開図である図３に示すように、天面部２と、正面部３と、背面部４と、左側面部５と、右側面部６とを備えている。なお、上記蓋部１の内側には、鏡取り付け用の段差部や化粧料容器の本体部とのヒンジ連結用の凸部等が設けられているが、これらは一般的な特徴であり、本発明の要旨とも関係がないため、説明を省略する。
【００２４】
上記蓋部１は、樹脂［この例ではアクリロニトリル−ブタジエン−スチレン（ＡＢＳ）樹脂］からなる成形体１０で、その表面に、凹部と凹部が形成されていない部分によって凹凸模様Ｑが形成されている。上記凹凸模様Ｑは、幅の広いレース状のリボンと幅の狭い紐状のリボンとを組み合わせたような帯状模様からなり、その帯状模様が２筋、天面部２を斜め方向に横切るように形成されている。
【００２５】
より詳しく説明すると、上記凹凸模様Ｑのうち、一方の帯状模様は、蓋部１の左側面部５から天面部２を斜めに横切って正面部３に到達している。また、もう一方の帯状模様は、蓋部１の背面部４から天面部２を斜めに横切って右側面部６に到達している（図３を参照）。
【００２６】
上記凹凸模様Ｑである２筋の帯状模様は、ともに、３つの面にまたがって延びているが、各面の境界となる角部においても、その模様が途切れることなく連続的に形成されている。したがって、あたかも本当のリボンが蓋部１にかけられているかのような、美麗な外観を呈しており、アイキャッチ効果が高い。これが、本発明の最大の特徴である。
【００２７】
なお、この例では、凹凸模様Ｑが２筋の帯状模様として、それぞれ３つの面（第１の面→第２の面→第３の面）にまたがって延びているが、必ずしも３つの面にまたがる必要はなく、少なくとも２つの面（第１の面→第２の面）にまたがって凹凸模様Ｑの少なくとも一部が形成されていればよい。そして、少なくとも２つの面にまたがって形成される凹凸模様Ｑの模様部分は、途切れることなくつながった、文字通り連続した模様だけでなく、その途中で途切れる部分があっても、全体として連続的につながっているかのようにみえる一まとまりの模様であれば差し支えない。
【００２８】
例えば、２つの面の境界に面取りがなされていたり、アールが付いていたりする場合等には、その部分には模様を付さないで、途切れた形で、第１の面と第２の面にまたがる帯状模様を形成する場合もあるが、その場合も、上記帯状模様は、第１の面と第２の面にまたがって連続して延びているように視認されるため、本発明の「連続的な模様」に含まれる。
【００２９】
上記蓋部１は、例えばつぎのようにして得ることができる。すなわち、まず、樹脂材料としてＡＢＳ樹脂を用い、蓋部１となる形状の成形体１０を準備する。成形体１０の成形には、型による射出成形等、適宜の成形方法が用いられる。
【００３０】
つぎに、上記成形体１０の表面（天面部２、正面部３、背面部４、左右側面部５、６の外側を向いた面）の所定部分にレーザ照射を行い、図２に示すように、成形体１０の表面を部分的に溶融除去して、凹凸模様Ｑを形成する（図１、図３を参照）。なお、レーザ照射による成形体１０の表面に対する除去加工は、レーザ装置に予め加工する位置のデータを入力しておき、それに基づいてレーザ光を断続的に走査させることによって行われる。
【００３１】
上記レーザ照射は、例えば図４に示すような装置を用い、成形体１０を回転させながら行うことが好適である。より詳しく説明すると、この装置は、成形体１０を、特定の回転中心軸Ｐが回転中心となる配置で保持するワーク保持部２１と、上記ワーク保持部２１を取り付ける基台２２と、この基台２２に回転動作を与えるモータ２３とを備えている。そして、上記ワーク保持部２１には、成形体１０の内側凹部と嵌合して成形体１０を保持する支持軸２１ａが設けられている。
【００３２】
また、この例では、レーザ照射による作業効率の点から、２個の成形体１０を、回転中心軸Ｐに対し１８０°回転対称となる配置でワーク保持部２１に保持し、２個連続してレーザ照射加工を行うようになっている。もちろん、成形体１０を１個だけ支持軸２１ａに取り付けて、１個ずつ加工しても差し支えない。
【００３３】
そして、上記装置において、ワーク保持部２１の上方には、レーザ装置の出力部２４が配置されており、矢印で示すように、ワーク保持部２１によって保持された成形体１０に向かって垂直にレーザ光が照射されるようになっている。
【００３４】
上記装置を用いたレーザ照射による凹凸模様Ｑの形成方法について、具体的に説明する。まず、図５（ａ）に示すように、成形体１０を２個、ワーク保持部２１に、互いに回転中心軸Ｐに対し１８０°回転対称となる配置で取り付ける。以下、図５（ａ）において奥側に配置される成形体１０と、手前側に配置される成形体１０’とを区別して説明する。加工前の初期状態において、成形体１０、１０’は、それぞれの天面部２が垂直となるよう配置される。なお、図５（ｂ）は図５（ａ）の右側面図である。
【００３５】
そして、図５（ａ）の配置において、奥側の成形体１０の背面部４と左側面部５に向かって、レーザ照射を行いながら、ワーク保持部２１を矢印Ｘで示すように手前に回転させ、成形体１０の天面部２が水平になる図５（ｃ）の配置を経由して、成形体１０の天面部２が手前側において垂直になる図６（ａ）の配置まで回転させる。これにより、成形体１０は、回転中心軸Ｐを中心として１８０°回転したことになり、成形体１０の背面部４と左側面部５→天面部２→正面部３と右側面部６、という順で、連続的にレーザ照射を受け、２筋の帯状模様からなる凹凸模様Ｑが、回転方向（矢印Ｘで示す方向）に沿って連続的に形成される（図３を参照）。
【００３６】
つぎに、図６（ａ）の配置において、奥側に位置する成形体１０’（未加工）に対し、先の成形体１０と同様、その背面部４と左側面部５に向かって、レーザ照射を行いながら、ワーク保持部２１を矢印Ｘで示すように手前に回転させ、図６（ｂ）の配置を経由して、初期位置から１８０°回転した位置まで、回転させる。このようにして、成形体１０’に対しても、凹凸模様Ｑを形成することができる。
【００３７】
そして、成形体１０、１０’をワーク保持部２１から外し、２個の蓋部１を得ることができる。得られた蓋部１は、その表面が部分的に除去されて凹部が形成され、背面部４から天面部２を経由して右側面部６に至る一続きの帯状模様と、左側面部５から天面部２を経由して正面部３に至る一続きの帯状模様とからなる、凹凸模様Ｑが形成されている。そして、その凹凸模様Ｑが２つの面にまたがるどの角部においても、その模様が途切れることなく連続的に形成されているため、凹凸模様Ｑが全体として、非常に美麗な仕上がりとなっている。
【００３８】
特に、上記凹凸模様Ｑを構成する各凹部の開口が、いずれも成形体１０（以下、１０'も含む）の回転方向Ｘ（図３を参照）に対し特定の向きで形成されており、その凹凸模様Ｑが延びる方向に対して規則的であるため、凹凸模様Ｑの、レースを思わせる繊細な模様や、緩やかにカーブした紐の先端を思わせる模様が、いずれも鮮明に表現されており、高いアイキャッチ効果を発揮する。そして、このような凹凸模様Ｑの凹凸は、抜き勾配の関係から、金型で成形することは容易でないことから、レーザ照射によって、このように簡単に得られることは、実用的価値が非常に大きいといえる。
【００３９】
しかも、上記凹凸模様Ｑによって、蓋部１の、天面部２から左右の側面部５、６にまたがる角部や、同じく天面部２から正面部３、背面部４にまたがる角部に、凹凸によるざらつきが付与されているため、蓋部１に手をかけて化粧料容器を開閉するとき、指が滑らず、使い勝手がよいという利点を有する。また、化粧料容器自体を取り扱う際にも、上記凹凸模様Ｑのざらつきが滑り止めの作用を果たし、取り扱いやすいという利点を有する。
【００４０】
なお、上記のように、成形体１０を１８０°、連続的に回転させながらレーザ照射を行うと、凹凸模様Ｑのデザインによっては、１回のレーザ照射のために取り扱う加工データの量が膨大になり、１回の処理に比較的長い時間を要する場合がある。
【００４１】
そこで、成形体１０を連続的に回転させながらレーザ照射を行って凹凸模様Ｑを一気に形成するのではなく、成形体１０を（１８０／ｎ）°ずつ回転させて、ｎ回のレーザ照射を断続的に行う（例えば成形体１０を４５°ずつ回転させ４回に分けて加工を行う）と、１回のレーザ照射のために取り扱う加工データの量が、１８０°の連続回転に比べて、その１／ｎとなり、短時間での加工続処理となる。ただし、レーザ照射が断続的になるため、そのレーザ照射の開始点と終了点において、凹凸模様Ｑがずれないように注意することが必要である。
【００４２】
したがって、凹凸模様Ｑのデザインや要求される単位時間当たりの処理量に応じて、上記のように、ｎ分割して断続的にレーザ照射を行うか、前述のように１回の回転動作で凹凸模様Ｑを一続きで連続的に形成するかを使い分けることが望ましい。
【００４３】
なお、上記の例において、成形体１０の材質は、ＡＢＳ樹脂に限るものではなく、成形可能な各種の合成樹脂を用いることができる。なかでも、上記ＡＢＳ樹脂の他、ポリエチレンテレフタレート（ＰＥＴ）樹脂、ポリブチレンテレフタレート（ＰＢＴ）樹脂、アクリロニトリル−スチレン（ＡＳ）樹脂、ポリカーボネート（ＰＣ）、ポリスチレン（ＰＳ）、ポリプロピレン（ＰＰ）等を用いることが、成形性、耐久性、軽量性の点で好ましい。そして、上記成形体１０の色は、容器全体のデザインに応じて選択され、透明、不透明を問わず、また有色、無色も問わない。
【００４４】
また、上記成形体１０に対し、凹凸模様Ｑを形成するために用いられるレーザとしては、樹脂に対し溶融除去作用を有するものであれば、特に限定されるものではなく、各種のレーザ照射を用いることができる。例えば、ＣＯ2レーザ、エキシマレーザ、半導体レーザ等があげられ、なかでもＣＯ2レーザが、制御性、仕上がり性において好適である。
【００４５】
さらに、本発明において、凹凸模様Ｑを形成するために成形体１０を回転させる際の回転中心軸Ｐは、凹凸模様Ｑのデザインと成形体１０の立体形状とを考慮して、その都度、仮想的に設定される。なお、回転動作によって、レーザ光源と、レーザ照射による加工面との距離が変化するが、その距離の変化の幅が、レーザ照射による焦点距離の調整範囲内となるよう設定することが重要である。
【００４６】
そして、上記の例は、本発明を、コンパクトタイプの化粧料容器の蓋部１に適用した例であるが、例えば図７（ａ）に示すようなジャータイプの化粧料容器の蓋部３１に適用することもできる。この蓋部３１は、天面部３２と、円筒状の側面部３３とで構成されており、図１に示す蓋部１と同様、成形体４０の表面が部分的に除去されて凹部が連続的に形成され、側面部３３の片側から天面部３２を横切って、側面部３３の他端側まで延びる帯状の凹凸模様Ｑが形成されている。
【００４７】
この蓋部３１も、上述した蓋部１の例と同様、図４に示す装置を用いて、蓋部３１となる成形体４０を回転させながらレーザ照射を行うことにより、天面部３２と側面部３３にまたがる上記凹凸模様Ｑを形成することができる。
【００４８】
より詳しく説明すると、この例では、上記成形体４０を保持するために、例えば図７（ｂ）に示すワーク保持部４５を用いる。このワーク保持部４５は、支持軸４５ａの先端に、ドラム状のワーク嵌合部４６が設けられており、その両側に、成形体４０、４０’がそれぞれ嵌合保持されるようになっている。係合ガイド４７は、上記成形体４０、４０’の脱落を防止するためのものであり、ワーク嵌合部４６の側面に沿って２本設けられており、それぞれの先端に、成形体４０、４０’の天面部３２の周縁部と係合する係合爪４７ａが設けられている。なお、成形体４０、４０’が、ワーク嵌合部４６と安定した形で嵌合保持される場合、上記係合ガイド４７は、必ずしも必要ではない。
【００４９】
上記ワーク保持部４５に成形体４０、４０’を取り付け、図８（ａ）に示すように、加工前の初期状態において、成形体４０、４０’の各天面部３２が垂直となるよう配置する。なお、図８（ｂ）は図８（ａ）の右側面図である。
【００５０】
そして、図８（ａ）の配置において、奥側の成形体４０の側面部３３に向かって、レーザ照射を行いながら、ワーク保持部４５を矢印Ｘで示すように手前に回転させ、成形体４０の天面部３２が水平になる図８（ｃ）の配置を経由して、成形体４０の天面部３２が手前側において垂直になる図９（ａ）の配置まで回転させる。これにより、成形体４０は、回転中心軸Ｐを中心として１８０°回転したことになり、成形体４０の側面部３３の一方側→天面部３２→側面部３３の他方側、という順で、連続的にレーザ照射を受け、帯状の凹凸模様Ｑが、回転方向（矢印Ｘで示す方向）に沿って連続的に形成される。
【００５１】
つぎに、図９（ａ）の配置において、奥側に位置する成形体４０’（未加工）に対し、先の成形体４０と同様、その側面部３３に向かって、レーザ照射を行いながら、ワーク保持部４５を矢印Ｘで示すように手前に回転させ、図９（ｂ）の配置を経由して、初期位置から１８０°回転した位置まで、回転させる。このようにして、成形体４０’に対しても、凹凸模様Ｑを形成することができる。
【００５２】
そして、成形体４０、４０’をワーク保持部４５から外し、２個の蓋部３１〔図７（ａ）を参照〕を得ることができる。得られた蓋部３１は、その表面が部分的に除去され、側面部３３の一方側から天面部３２を経由して側面部３３の他方側に至る、一続きの帯状の凹凸模様Ｑが形成されている。そして、その凹凸模様Ｑが２つの面にまたがるどの角部においても、その模様が途切れることなく連続的に形成されているため、凹凸模様Ｑが全体として、非常に美麗な仕上がりとなっている。
【００５３】
さらに、本発明は、化粧料容器の蓋部１、３１に限らず、化粧料容器の本体部にも適用することができる。例えば、図１に示す蓋部１と同様、平面視長方形状の、厚みの薄い凹状の、コンパクトタイプの化粧料容器の本体部に対しても、例えば図４に示す装置を用いて、その側面部に、周方向に沿って連続的に延びる切欠き模様Ｒを形成することができる。
【００５４】
より詳しく説明すると、まず、図１０（ａ）に示すように、上記本体部となる形状が付与された成形体５０を準備する。また、図示のように、略四角柱状のワーク嵌合部６１が設けられたワーク保持部６０を準備する。このワーク嵌合部６１の先端面には、成形体５０の中皿収容用凹部と嵌合する凸部と、上記成形体５０のヒンジとなる切欠き部５０ａの縁部に係合する係合爪６２と、蓋部開閉用の係合部に係合する係合爪６３とが設けられている。なお、上記ワーク嵌合部６１の先端面と成形体５０の嵌合によって成形体５０が安定した形で嵌合保持される場合、上記係合爪６２、６３は、必ずしも必要ではない。
【００５５】
上記ワーク嵌合部６１の先端面に、成形体５０を嵌合して保持し、その状態で、図４に示す装置に取り付ける。そして、加工前の初期状態において、図１０（ｂ）に示すように、成形体５０の底面部５３が垂直となり、側面部５４のうちの一つの面がレーザ照射を受ける面となるよう水平に配置する。なお、図１０（ｃ）は図１０（ｂ）の右側面図である。
【００５６】
上記の配置において、側面部５４のうちの一つの面に向かって、レーザ照射を行いながら、ワーク保持部６０を矢印Ｘで示すように手前に回転させ、側面部５４の配置を順次変えながら、初期位置から３６０°回転させる。これにより、側面部５４の全周にわたって、連続的に延びる凹凸模様Ｑ（図示せず）を形成することができる。もちろん、レーザ照射によって形成される凹凸模様Ｑは、側面部５４の全周にわたって延びている必要はなく、少なくとも２つの面にまたがって連続的に延びるものであればよい。
【００５７】
また、図１に示す、蓋部１に凹凸模様Ｑを形成する場合のように、底面部５３を垂直ではなく、傾斜した配置にすることにより、側面部５４から底面部５３にまたがって凹凸模様Ｑが形成されるようにしてもよい。
【００５８】
さらに、本発明を、例えば、コンパクトタイプの化粧料容器において、本体部と蓋部にまたがる凹凸模様Ｑが形成されたものに適用することができる。その場合、例えば図１１（ａ）に示すワーク保持部９０を用いることが好適である。すなわち、このワーク保持部９０は、蓋部となる蓋部成形体７０と、本体部となる本体部成形体８０とを閉じ合わせた状態のまま保持することができるようになっており、その状態で、図４に示す装置に取り付けることができるようになっている。
【００５９】
より詳しく説明すると、上記ワーク保持部９０は、支持軸９０ａに、互いに閉じ合わせた蓋部成形体７０と本体部成形体８０を取り付けるための平面部９１が設けられており、上記平面部９１の取り付け面には、本体部成形体８０の底面部８１が取り付けられるようになっている。そして、上記平面部９１の対向する２つの角部に、ワーク抜け止め用の係合爪９２、９３が形成されている。
【００６０】
上記ワーク保持部９０に、蓋部成形体７０と本体部成形体８０とを閉じ合わせた状態で保持し、加工前の初期状態において、図１１（ｂ）に示すように、蓋部成形体７０の天面部７１と本体部成形体８０の底面部８１がともに垂直となり、各成形体７０、８０の２つの側面部がレーザ照射を受ける面となるように配置する。なお、図１１（ｃ）は図１１（ｂ）の右側面図である。
【００６１】
そして、図１１（ｂ）の配置において、上記成形体７０、８０の側面部に向かってレーザ照射を行いながら、ワーク保持部９０を矢印Ｘで示すように手前に回転させ、２つの側面部のつぎに、蓋部成形体７０の天面部７１にレーザ照射を行い、さらに、回転して、２つの成形体７０、８０の反対側の側面部にもレーザ照射を行う。このようにして、蓋部成形体７０と本体部成形体８０とを閉じ合わせた状態で、両方にまたがる凹凸模様Ｑ（図示せず）を途切れることなく連続的に形成することができる。もちろん、レーザ照射によって形成される凹凸模様Ｑは、全体が一続きに連続的に形成される必要はなく、少なくとも２つの面（第１の面と第２の面）にまたがって連続的に延びるものであればよい。
【００６２】
また、上記一連の例は、成形体１０（４０等も含む）の表面を部分的に除去して凹凸模様Ｑを得るようにしたものであるが、例えば図１２に示すように、成形体１０の表面に凹凸模様Ｑを付与した後、その上に、必要に応じてアンダーコート層１１を介して金属薄膜層１２を形成し、その金属薄膜層１２を部分的に除去して、切欠き模様Ｒを形成してもよい。
【００６３】
その場合、上記切欠き模様Ｒは、その下の凹凸模様Ｑの少なくとも一部と重なり、その凹凸模様Ｑが形成された第１の面と第２の面にまたがる配置で形成することが好適である。すなわち、上記２つの面にまたがって連続する凹凸模様Ｑと切欠き模様Ｒとの重なり部分では、切欠き模様Ｒに立体的な陰影が生じるため、凹凸模様Ｑが単独で形成されている場合や、切欠き模様Ｒが単独で形成される場合に比べて、より印象的で、よりアイキャッチ効果の高いものとなる。
【００６４】
上記切欠き模様Ｒを、２つの面にまたがって連続的に形成するには、前述の、凹凸模様Ｑを形成する場合と同様、例えば図４に示す装置を用い、金属薄膜層１２が形成された成形体１０を、凹凸模様Ｑを形成したときと同じく特定の回転中心軸Ｐを中心として、回転させながら、レーザ照射を行うことが好適である。すなわち、この方法によれば、切欠き模様Ｒの切欠き開口を、２つの面にまたがって、連続的かつ正確に形成することができ、微細かつ美麗な切欠き模様Ｒを得ることができる。
【００６５】
しかも、レーザ照射によって上記切欠き模様Ｒを形成する場合、凹凸模様Ｑを形成したときの加工データを、切欠き模様Ｒを形成するときの加工データに利用することができるため、煩雑な調整を行うことなく、凹凸模様Ｑに対し、的確な配置で切欠き模様Ｒを形成することができる。
【００６６】
なお、上記切欠き模様Ｒを形成する場合のレーザとしては、金属薄膜層に対し除去作用を有するものであれば、特に限定されるものではなく、各種のレーザを用いることができる。例えば、ＹＡＧレーザ、ＹＶＯ4レーザ、半導体レーザ等が好適に用いられる。
【００６７】
また、上記切欠き模様Ｒを形成するために成形体１０の表面に形成する金属薄膜層１２としては、アルミニウム蒸着層の他、ステンレス等、他の金属材料からなる蒸着層であってもよい。そして、上記金属薄膜層１２の上に、ホログラム形成層やパール調付与層等をさらに形成して、より複雑な金属光沢色調を得ることもできる。もちろん、上記金属薄膜層１２の上や、その上に形成される他の層の上に、透明なトップコート層を設けてもよい。
【００６８】
そして、本発明は、コンパクトタイプやジャータイプの化粧料容器への加飾だけでなく、第１の面から第２の面にまたがる凹凸模様Ｑによる美麗な加飾が求められる、各種の樹脂成形品に広く適用可能である。例えば、携帯電話、文房具、家電製品、玩具、各種ケース等に応用することができる。
【産業上の利用可能性】
【００６９】
本発明は、美麗な凹凸模様が２つの面にまたがって連続的もしくは断続的に形成された、興趣に富む加飾成形体およびその製法に利用することができる。
【符号の説明】
【００７０】
１  蓋部
２  天面部
３  正面部
４  背面部
５  左側面部
６  右側面部
１０  成形体
Ｑ  凹凸模様
【図１】
2019111676.tif 000003
【図２】
2019111676.tif 000004
【図３】
2019111676.tif 000005
【図４】
2019111676.tif 000006
【図５】
2019111676.tif 000007
【図６】
2019111676.tif 000008
【図７】
2019111676.tif 000009
【図８】
2019111676.tif 000010
【図９】
2019111676.tif 000011
【図１０】
2019111676.tif 000012
【図１１】
2019111676.tif 000013
【図１２】
2019111676.tif 000014